(57)【特許請求の範囲】
【請求項１】
構造物の外装に設置され、多数の気泡が形成されると共に電波を吸収する電波吸収体が配合された多孔質電波吸収材と、
前記外装の下地に設置されると共に、電波吸収性能を有し、前記多孔質電波吸収材が嵌合されて前記多孔質電波吸収材を支持することで前記多孔質電波吸収材を前記外装に設置する支持枠と、
を備えた構造物の外装構造。
【請求項２】
前記支持枠は、熱伝導率が低くされたことを特徴とする請求項１記載の構造物の外装構造。
【請求項３】
熱伝導率が低い断熱材を前記多孔質電波吸収材の裏側に設置したことを特徴とする請求項１または請求項２記載の構造物の外装構造。
【請求項４】
電波を反射する電波反射層を前記多孔質電波吸収材の裏側に設置したことを特徴とする請求項１乃至請求項３の何れか１項記載の構造物の外装構造。
【請求項５】
前記多孔質電波吸収材の母体を無機物としたことを特徴とする請求項１乃至請求項４の何れか１項記載の構造物の外装構造。
【請求項６】
前記電波吸収体は導電性を有することを特徴とする請求項１乃至請求項５の何れか１項記載の構造物の外装構造。
【発明の詳細な説明】
【０００１】
【発明の属する技術分野】
本発明は、建物または工作物等の外壁や軒天井等に適用される構造物の外装構造に関する。
【０００２】
【従来の技術】
建物または工作物等（以下「構造物」という）の外壁や軒天井等（以下「外装」という）には、例えば、外装による電波の反射を防止するための電波吸収材や外断熱のための断熱材が設置される。
【０００３】
ここで、電波吸収材としては、フェライト等の磁性体による電波吸収材（以下「磁性体型電波吸収材」という）が主に使用される他、所謂誘電型電波吸収材や所謂抵抗体型電波吸収材も使用されている。
【０００４】
一方、断熱材としては、熱伝導率が低く肉厚が小さい所謂有機系断熱材が専ら使用されている。
【０００５】
しかしながら、上記電波吸収材や断熱材は、何れも吸水性が高くかつ耐久性や堅牢性に劣ることから、単体では構造物の外部環境に晒される外装仕上げ材として用いることができず、保護材でカバーリングする必要がある。このため、全体の肉厚が大きくなって高コストとなるという問題がある。
【０００６】
また、上記磁性体型電波吸収材は、重量が大きいことから、接着工法による構造物外装への設置においては外装への設置信頼性や設置耐久性が劣り、また、乾式工法による構造物外装への設置においては設置作業に手間が掛かって高コストとなるという問題がある。
【０００７】
さらに、上記誘電型電波吸収材や抵抗体型電波吸収材は、構造物の外装構成材としては経済的でないという問題がある。
【０００８】
さらにまた、上記磁性体型電波吸収材、誘電型電波吸収材及び抵抗体型電波吸収材は、何れも地上波を対象にした電波吸収材であり、例えばインテリジェント道路交通システム（所謂ＩＴＳで、有料道路の自動料金収受システム（所謂ＥＴＣ）や自動車の走行を支援する走行支援道路システム（所謂ＡＨＳ）等を含む））等において使用される各帯域の電波を吸収する電波吸収材を構造物の外装に設置してレーダ偽像防止対策や無線障害防止対策等を行う技術は存在しない。
【０００９】
一方、上記有機系断熱材は、不燃性でないため、構造物の外装仕上げ材としては不適格である。
【００１０】
またここで、電波吸収性能及び断熱性能を併せ持つ部材を構造物の外装に設置する工法は存在せず、仮に上記電波吸収材及び断熱材を重ねて構造物の外装に設置したとしても、構造物の外装としては一層肉厚が大きくなって実現不可能である。
【００１１】
【発明が解決しようとする課題】
本発明は、上記事実を考慮し、電波吸収性能及び断熱性能を併せ持つことができる構造物の外装構造を得ることが目的である。
【００１２】
【課題を解決するための手段】
請求項１の構造物の外装構造は、構造物の外装に設置され、多数の気泡が形成されると共に電波を吸収する電波吸収体が配合された多孔質電波吸収材と、前記外装の下地に設置されると共に、電波吸収性能を有し、前記多孔質電波吸収材が嵌合されて前記多孔質電波吸収材を支持することで前記多孔質電波吸収材を前記外装に設置する支持枠と、を備えている。
【００１３】
請求項１の構造物の外装構造では、多孔質電波吸収材が構造物の外装に設置されている。
【００１４】
ここで、多孔質電波吸収材は、電波吸収体が配合されて電波吸収性能を有すると共に、多数の気泡が形成されて断熱性能を有している。これにより、構造物の外装が電波吸収性能及び断熱性能を併せ持つことができる。
【００１５】
また、多孔質電波吸収材は、一部材で電波吸収性能及び断熱性能を併せ持つため、肉厚を小さくしてコストを低減することができる。
【００１６】
さらにまた、多孔質電波吸収材には多数の気泡が形成されているため、多孔質電波吸収材は重量が小さい。このため、構造物の外装への多孔質電波吸収材の設置信頼性や設置耐久性を向上させることができると共に、多孔質電波吸収材を容易に構造物の外装に設置することができてコストを低減することができる。
【００１７】
また、多孔質電波吸収材が多数の気泡を有するため、気泡の周面によって多孔質電波吸収材に到来した電波が多孔質電波吸収材内で多数回反射される。これにより、多孔質電波吸収材の電波吸収性能を向上させることができる。
【００１９】
さらに、構造物の外装下地に設置された支持枠に多孔質電波吸収材を嵌合して支持枠に多孔質電波吸収材を支持させることで、多孔質電波吸収材が構造物の外装に設置される。このため、仮に多孔質電波吸収材が強度的に脆弱であっても、多孔質電波吸収材を損傷することなく構造物の外装に設置することができる。
また、支持枠が電波吸収性能を有するため、支持枠によって電波が反射されることを防止でき、これにより、構造物の外装が有する電波吸収性能を支持枠が阻害することを防止できる。
【００２０】
請求項２に記載の構造物の外装構造は、請求項１に記載の構造物の外装構造において、前記支持枠は、熱伝導率が低くされたことを特徴としている。
【００２２】
請求項２に記載の構造物の外装構造では、支持枠の熱伝導率が低くされているため、構造物の外装が有する断熱性能を支持枠が阻害することを防止できる。
【００２３】
請求項３に記載の構造物の外装構造は、請求項１または請求項２に記載の構造物の外装構造において、熱伝導率が低い断熱材を前記多孔質電波吸収材の裏側に設置したことを特徴としている。
【００２４】
請求項３に記載の構造物の外装構造では、熱伝導率が低い断熱材が多孔質電波吸収材の裏側に設置されているため、構造物の外装が有する断熱性能を向上させることができる。
【００２５】
請求項４に記載の構造物の外装構造は、請求項１乃至請求項３の何れか１項に記載の構造物の外装構造において、電波を反射する電波反射層を前記多孔質電波吸収材の裏側に設置したことを特徴としている。
【００２６】
請求項４に記載の構造物の外装構造では、多孔質電波吸収材の裏側に設置された電波反射層が電波を反射するため、電波が多孔質電波吸収材内を通過する距離が長くなり、これにより、多孔質電波吸収材の電波吸収性能を一層向上させることができる。
【００２７】
請求項５に記載の構造物の外装構造は、請求項１乃至請求項４の何れか１項に記載の構造物の外装構造において、前記多孔質電波吸収材の母体を無機物としたことを特徴としている。
【００２８】
請求項５に記載の構造物の外装構造では、多孔質電波吸収材の母体が無機物であるため、多孔質電波吸収材が不燃性を有し、これにより、多孔質電波吸収材が構造物の外装仕上げ材としての適格性を有することができる。
【００２９】
請求項６に記載の構造物の外装構造は、請求項１乃至請求項５の何れか１項に記載の構造物の外装構造において、前記電波吸収体が導電性を有することを特徴としている。
【００３０】
請求項６に記載の構造物の外装構造では、多孔質電波吸収材に配合される電波吸収体が導電性を有するものであるため、例えばインテリジェント道路交通システム等において使用される各帯域の電波を多孔質電波吸収材が吸収して、レーダ偽像防止対策や無線障害防止対策等を行うことができる。
【００３１】
また、電波吸収体が導電性を有する材料であるため、従来の誘電型電波吸収材や抵抗体型電波吸収材に比し、コストを低減することが可能となる。
【００３２】
【発明の実施の形態】
図１には、本発明の構造物の外装構造が適用されて構成された実施の形態に係る構造物の外装１０が概略的な断面図にて示されており、図２には、構造物の外装１０が概略的な正面図にて示されている。
【００３３】
本実施の形態に係る構造物の外装１０は、建物または工作物等の構造物（特にインテリジェント道路交通システム（所謂ＩＴＳで、有料道路の自動料金収受システム（所謂ＥＴＣ）や自動車の走行を支援する走行支援道路システム（所謂ＡＨＳ）等を含む））の外壁や軒天井等の外装であって、電波の反射を防止してレーダ偽像防止対策や無線障害防止対策等が必要な場所かつ外断熱が必要な場所に適用される。
【００３４】
構造物の外装１０は、下地としての所謂ＲＣ壁１２（鉄筋コンクリート壁）を備えている。ＲＣ壁１２の構造物外部側の側面（以下「下地面１２Ａ」という）には、所謂押し縁方式の支持枠１６が設置されている。支持枠１６は、下地面１２Ａに対し垂直に立設された支持板１８を複数備えており、複数の支持板１８は、下記無機多孔質電波吸収材２６の縦方向長さと略同等の間隔で横方向に平行に設置とされると共に、各支持板１８の前端部（反下地面１２Ａ側の端部）は上方へ屈曲している。さらに、支持枠１６は、押し縁２０を備えており、押し縁２０は、横方向に平行な横板２２と縦方向に平行な縦板２４とをそれぞれ複数有して、下記無機多孔質電波吸収材２６に対応した格子状とされている。ここで、各横板２２は各支持板１８の前端部に下側が突出した状態で固定されており、これにより、押し縁２０が支持板１８に固定されている。
【００３５】
また、支持枠１６は、非誘電性材料または電波吸収性材料で構成されることで、電波透過性能または電波吸収性能を有している。
【００３６】
支持板１８と支持板１８との間（支持枠１６）には、多孔質電波吸収材としての長方形（または正方形）板状の無機多孔質電波吸収材２６が複数嵌合されており、各無機多孔質電波吸収材２６は、表面（反下地面１２Ａ側の側面）の周縁が支持板１８の先端部や押し縁２０（横板２２及び縦板２４）に係止されることで、支持枠１６からの脱落が阻止された状態で支持枠１６に支持されている。これにより、無機多孔質電波吸収材２６が、構造物の外装１０に設置されて、構造物の外装１０仕上げ材として用いられている。
【００３７】
また、無機多孔質電波吸収材２６は、母体を無機物としており、これにより、無機多孔質電波吸収材２６は不燃性を有している。さらに、無機多孔質電波吸収材２６は、電波吸収体としての導電性繊維が配合されて電波吸収性能を有すると共に、多数の気泡が形成されて断熱性能を有する構成である。
【００３８】
さらにまた、無機多孔質電波吸収材２６の裏面（下地面１２Ａ側の側面）には、金属溶射または塗料等による電波反射層としての抵抗膜１４が設置されており、抵抗膜１４は、電波を反射する性質を有している。
【００３９】
次に、本実施の形態の作用を説明する。
【００４０】
以上の構成の構造物の外装１０では、無機多孔質電波吸収材２６が設置されており、無機多孔質電波吸収材２６は、導電性繊維が配合されて電波吸収性能を有すると共に、多数の気泡が形成されて断熱性能を有している。これにより、構造物の外装１０が電波吸収性能及び断熱性能を併せ持つことができる。
【００４１】
また、無機多孔質電波吸収材２６は、一部材で電波吸収性能及び断熱性能を併せ持つため、肉厚を小さくしてコストを低減することができる。
【００４２】
さらにまた、無機多孔質電波吸収材２６が多数の気泡を有するため、気泡の周面によって無機多孔質電波吸収材２６に到来した電波が無機多孔質電波吸収材２６内で多数回反射される。これにより、無機多孔質電波吸収材２６の電波吸収性能を向上させることができる。
【００４３】
さらに、無機多孔質電波吸収材２６の裏側に設置された抵抗膜１４が電波を反射するため、電波が無機多孔質電波吸収材２６内を通過する距離が長くなり、これにより、無機多孔質電波吸収材２６の電波吸収性能を一層向上させることができる。
【００４４】
また、無機多孔質電波吸収材２６の母体が無機物であるため、無機多孔質電波吸収材２６が不燃性を有し、これにより、無機多孔質電波吸収材２６が構造物の外装１０仕上げ材としての適格性を有することができる。
【００４５】
無機多孔質電波吸収材２６に配合される電波吸収体が導電性を有する導電性繊維であるため、例えばインテリジェント道路交通システム等において使用される各帯域の電波を無機多孔質電波吸収材２６が吸収して、レーダ偽像防止対策や無線障害防止対策等を行うことができる。
【００４６】
また、電波吸収体が導電性を有する導電性繊維であるため、従来の誘電型電波吸収材や抵抗体型電波吸収材に比し、コストを低減することが可能となる。
【００４７】
さらにここで、ＲＣ壁１２の下地面１２Ａに設置された支持板１８と支持板１８との間に無機多孔質電波吸収材２６を嵌合した状態で支持板１８の先端部に押し縁２０の横板２２を固定することで、無機多孔質電波吸収材２６の表面周縁が支持板１８の先端部や押し縁２０（横板２２及び縦板２４）に係止される。これにより、無機多孔質電波吸収材２６が支持枠１６からの脱落が阻止された状態で支持枠１６に支持されて構造物の外装１０に設置される。このため、無機多孔質電波吸収材２６が強度的に脆弱でも、無機多孔質電波吸収材２６を損傷することなく構造物の外装１０に容易に設置することができる。
【００４８】
さらに、無機多孔質電波吸収材２６には多数の気泡が形成されているため、無機多孔質電波吸収材２６は重量が小さい。このため、構造物の外装１０への無機多孔質電波吸収材２６の設置信頼性や設置耐久性を向上させることができると共に、無機多孔質電波吸収材２６を容易に構造物の外装１０に設置することができてコストを低減することができる。
【００４９】
また、支持枠１６が電波透過性能または電波吸収性能を有するため、支持枠１６によって電波が反射されることを防止でき、これにより、構造物の外装１０が有する電波吸収性能を支持枠１６が阻害することを防止できる。
【００５０】
さらに、支持枠１６の熱伝導率が低くされているため、構造物の外装１０が有する断熱性能を支持枠１６が阻害することを防止できる。
【００５１】
なお、図３に示す構造物の外装５０の如く、無機多孔質電波吸収材２６の裏面側（無機多孔質電波吸収材２６とＲＣ壁１２との間）に熱伝導率が低い断熱材５２（例えば所謂有機系断熱材）を設置した構成としてもよく、これにより、構造物の外装５０が有する断熱性能を向上させることができる。
【００５２】
また、本実施の形態では、本発明の構造物の外装構造を構造物の外装１０、５０に適用した構成としたが、本発明の構造物の外装構造を構造物の内装に適用した構成としてもよい。
【００５３】
【発明の効果】
請求項１の構造物の外装構造では、多孔質電波吸収材に電波吸収体が配合されると共に多数の気泡が形成されているため、構造物の外装が電波吸収性能及び断熱性能を併せ持つことができる。
【００５４】
また、多孔質電波吸収材は、一部材で電波吸収性能及び断熱性能を併せ持つため、肉厚を小さくしてコストを低減できる。
【００５５】
さらにまた、多孔質電波吸収材に多数の気泡が形成されて重量が小さいため、構造物の外装への多孔質電波吸収材の設置信頼性や設置耐久性を向上できると共に、多孔質電波吸収材を容易に構造物の外装に設置できてコストを低減できる。
【００５６】
また、多孔質電波吸収材の気泡の周面によって電波が多孔質電波吸収材内で多数回反射されるため、多孔質電波吸収材の電波吸収性能を向上できる。
【００５７】
さらに、支持枠に多孔質電波吸収材を嵌合して支持枠に多孔質電波吸収材を支持させることで多孔質電波吸収材が構造物の外装に設置されるため、多孔質電波吸収材を損傷することなく構造物の外装に容易に設置できる。
【００５８】
また、支持枠が電波吸収性能を有するため、構造物の外装が有する電波吸収性能を支持枠が阻害することを防止できる。
【００５９】
請求項２に記載の構造物の外装構造では、支持枠の熱伝導率が低くされているため、構造物の外装が有する断熱性能を支持枠が阻害することを防止できる。
【００６０】
請求項３に記載の構造物の外装構造では、熱伝導率が低い断熱材を多孔質電波吸収材の裏側に設置したため、構造物の外装が有する断熱性能を向上できる。
【００６１】
請求項４に記載の構造物の外装構造では、多孔質電波吸収材の裏側に設置された電波反射層が電波を反射するため、電波が多孔質電波吸収材内を通過する距離が長くなり、多孔質電波吸収材の電波吸収性能を一層向上できる。
【００６２】
請求項５に記載の構造物の外装構造では、多孔質電波吸収材の母体が無機物であるため、多孔質電波吸収材が不燃性を有し、これにより、多孔質電波吸収材が構造物の外装仕上げ材としての適格性を有することができる。
【００６３】
請求項６に記載の構造物の外装構造では、多孔質電波吸収材に配合される電波吸収体が導電性を有するものであるため、例えばインテリジェント道路交通システム等において使用される各帯域の電波を多孔質電波吸収材が吸収して、レーダ偽像防止対策や無線障害防止対策等を行うことができる。
【００６４】
また、電波吸収体が導電性を有する材料であるため、従来の誘電型電波吸収材や抵抗体型電波吸収材に比し、コストを低減することが可能となる。
【図面の簡単な説明】
【図１】本実施の形態に係る構造物の外装を示す概略的な断面図である。
【図２】本実施の形態に係る構造物の外装を示す概略的な正面図である。
【図３】本実施の形態に係る構造物の外装の別例を示す概略的な断面図である。
【符号の説明】
１０      構造物の外装（構造物の外装構造）
１２      ＲＣ壁（下地）
１４      抵抗膜（電波反射層）
１６      支持枠
２６      無機多孔質電波吸収材（多孔質電波吸収材）
５０      構造物の外装（構造物の外装構造）
５２      断熱材
【図１】
0004054891.tif 000002
【図２】
0004054891.tif 000003
【図３】
0004054891.tif 000004